(57)【要約】【課題】  老眼レンズの度数を実質的に自動調整可能にすることで、眼科での視力検査や眼鏡店での調整及びそれに伴い発生する高額な費用負担を不要としながら、左右視力の違い、視力の経年変化、朝晩の視力変化にも対応できる老眼レンズ及びそれを用いた老眼鏡を提供する。【解決手段】  多数個の微小レンズ領域を隣接又は近接配置するように一体形成した老眼レンズにおいて、その中央部に配置される微小レンズ領域の度数を最も高く、そこから周縁部へ向かうにつれて微小レンズ領域の度数を徐々に低くなるように設定する。【選択図】図１
2019078859.tif 000002
【特許請求の範囲】
【請求項１】
多数個の微小レンズ領域を隣接又は近接配置するように形成した老眼用レンズにおいて、
レンズ中央部付近に配置した特定の微小レンズ領域からレンズ周縁部へ向かうにつれて各微小レンズ領域の度数が徐々に低くなるように設定したことを特徴とする老眼用レンズ。
【請求項２】
多数個の微小レンズ領域を隣接又は配置するように形成した老眼用レンズにおいて、
レンズ中央部付近に配置した一塊の微小レンズ領域群からレンズ周縁部へ向かうにつれて各微小レンズ領域の度数が徐々に低くなるように設定したことを特徴とする老眼用レンズ。
【請求項３】
多数個の微小レンズ領域を隣接又は近接配置するように形成した老眼用レンズにおいて、
前記多数個の微小レンズ領域は、レンズ中央部付近に配置した特定の微小レンズ領域とそれを取り囲むように概ね同心状に配置した微小レンズ領域群とから構成されており、
前記特定の微小レンズ領域の度数が最も高く、その周囲にある概ね同心状の微小レンズ領域群の度数が外側へ向かって徐々に低くなるように設定したことを特徴とする老眼用レンズ。
【請求項４】
多数個の微小レンズ領域を隣接又は近接配置するように形成した老眼用レンズにおいて、
前記多数個の微小レンズ領域は、レンズ中央部付近に配置した一塊の微小レンズ領域群とそれを取り囲むように概ね同心状に配置した微小レンズ領域群とから構成されており、
前記一塊の微小レンズ領域群の度数が最も高く、その周囲にある概ね同心状の微小レンズ領域群の度数が外側へ向かって徐々に低くなるように設定したことを特徴とする老眼用レンズ。
【請求項５】
前記微小レンズ領域は、それぞれ六角形に形成されていることを特徴とする請求項１乃至４の何れかに記載の老眼用レンズ。
【請求項６】
請求項１乃至５の何れかに記載の老眼用レンズを両眼部に備えることを特徴とする老眼鏡。
【発明の詳細な説明】
【技術分野】
【０００１】
本発明は、老眼用レンズ及びそれを用いた老眼鏡に関する。
【背景技術】
【０００２】
老眼は加齢に伴い水晶体が硬化して近くのものにピントを合わせ辛くなる症状であり、老眼鏡を装着することで矯正する。老眼鏡は安価な既製品もあるが、用意されている度数が限られており、左右の度数違いに対応していないため、使用者の視力に合わせたオーダーメイドが良いとされている。なお、一つの老眼鏡で異なる距離（例えば読書とパソコン画面等）を見られるように、焦点距離が異なるレンズ領域を有する遠近、中近又は近々両用の老眼鏡も提供されている（例えば特許文献1参照。）。
【先行技術文献】
【特許文献】
【０００３】
【特許文献１】特開２００２−２０２４８１号公報
【発明の概要】
【発明が解決しようとする課題】
【０００４】
ところで、使用者の視力に合わせた老眼鏡は、眼科での視力検査や眼鏡店での調整が必要で費用も高くなる。しかも老眼は症状が出始めて暫らくの間は年々進行するために何度も作り直す必要があり、視力検査の煩わしさや高い出費を繰り返すことが多い。しかし、手間や費用がかかる割に、予め設定した距離以外には適合しないため、使用者が無意識に眼でピントを合わせようとして却って眼精疲労や肩こりを生じる原因になっていた。
【０００５】
遠近、中近又は近々両用眼鏡は、見たい距離が複数ある場合に対応するものであるが、焦点距離が異なるレンズ領域の境界部分で度数が急激に変わるため、視線を動かすときに目眩を起こす等の問題がある。また、未設定の距離（例えば中間距離）ではよく見えず、朝の起床直後と疲れが出る晩の視力違いにも対応していない。そのため、折角、注文製作しても老眼鏡を頻繁に外したり、度数の違う別の老眼鏡に掛け直したりすることがある。
【０００６】
上記のような事情に鑑みて、本発明は、度数を実質的に自動調整可能にして、眼科での視力検査や眼鏡店での調整及びそれに伴い発生する高額な費用負担を不要としながら、左右視力の違い、視力の経年変化、朝晩の視力変化に対応できる老眼用レンズ及びそれを用いた老眼鏡を提供する。
【課題を解決するための手段】
【０００７】
請求項１の発明は、多数個の微小レンズ領域を隣接又は近接配置するように形成した老眼用レンズにおいて、レンズ中央部付近に配置した特定の微小レンズ領域からレンズ周縁部へ向かうにつれて各微小レンズ領域の度数が徐々に低くなるように設定したことを特徴とする老眼用レンズを提供する。
【０００８】
請求項２の発明は、多数個の微小レンズ領域を隣接又は近接配置するように形成した老眼用レンズにおいて、レンズ中央部付近に配置した一塊の微小レンズ領域群からレンズ周縁部へ向かうにつれて各微小レンズ領域の度数が徐々に低くなるように設定したことを特徴とする老眼用レンズを提供する。
【０００９】
請求項３の発明は、多数個の微小レンズ領域を隣接又は近接配置するように形成した老眼用レンズにおいて、前記多数個の微小レンズ領域は、レンズ中央部付近に配置した特定の微小レンズ領域とそれを取り囲むように概ね同心状に配置した微小レンズ領域群とから構成されており、前記特定の微小レンズ領域の度数が最も高く、その周囲にある概ね同心状の微小レンズ領域群の度数が外側へ向かうにつれて徐々に低くなるように設定したことを特徴とする老眼用レンズを提供する。
【００１０】
請求項４の発明は、多数個の微小レンズ領域を隣接又は近接配置するように形成した老眼用レンズにおいて、前記多数個の微小レンズ領域は、レンズ中央部付近に配置した一塊の微小レンズ領域群とそれを取り囲むように概ね同心状に配置した微小レンズ領域群とから構成されており、前記一塊の微小レンズ領域群の度数が最も高く、その周囲にある概ね同心状の微小レンズ領域群の度数が外側へ向かうにつれて徐々に低くなるように設定したことを特徴とする老眼用レンズを提供する。
【００１１】
請求項５の発明は、前記微小レンズ領域は、それぞれ六角形に形成されていることを特徴とする請求項１乃至４の何れかに記載の老眼用レンズを提供する。
【００１２】
請求項６の発明は、請求項１乃至５の何れかに記載の老眼用レンズを両眼部に備えることを特徴とする老眼鏡を提供する。
【発明の効果】
【００１３】
本発明に係る老眼用レンズによれば、以下の優れた効果を奏し得る。度数が少しずつ異なる膨大な個数の微小レンズ領域の中から、使用者が見たい距離に適合する度数の微小レンズ領域を自らの脳の働きで無意識に選択して、その微小レンズ領域を通して見たい距離を明瞭に視認できるようになる。すなわち実質的に度数が自動調整されるので、視力検査や度数調整等が不要になって費用負担も少なく済む。老眼進行で視力が経年変化しても、使用者の脳が見たい距離に適した微小レンズ領域を適宜選択して対応するため、老眼鏡を作り直す必要がない。
【００１４】
使用者の見たい特定距離に合わせた度数のみに予め固定される従来の老眼鏡と異なり、一枚のレンズに多くの度数が備えられているので、その都度、見たい距離に合わせて度数調整が行うことができる。したがって、例えば読書、スマホ画面操作、パソコン画面操作、テレビ観賞、その他の様々な使用状況や、朝晩の視力変化等についても同じレンズで対応可能となる。したがって、使用者が老眼鏡を頻繁に外したり、度数の違う別の老眼鏡に掛け変えたりしなくても済む。
【００１５】
更にレンズ中央部からレンズ周縁部（外側）に向かって徐々に度数変化するように設定されているため、レンズ内において急激に度数変化を生じる部分がない。したがって、見たい距離に応じた微小レンズ領域を選択するために視線を動かしても、従来の遠近両用等の眼鏡のように目眩を起こすような不都合は生じない。特に度数の異なる微小レンズ領域の並びは不規則ではなく、度数の高低順に規則的であるため、脳が最適な微小レンズ領域を見つける（ピントを合わせる）までの時間が短く済む。
【００１６】
各微小レンズ領域を六角形に形成することにより、各微小レンズ領域間の隙間を詰めることができるので、視力矯正に寄与しない空白部分（非矯正領域）をなくすことができて、視界が澄み渡ると共に、単位面積当たりの微小レンズ領域数が増えることにより度数調整の範囲を拡大することができる。
【００１７】
上記老眼用レンズを両眼部に備える老眼鏡によれば、上記効果が得られることは勿論、左右視力が多少異なる場合も同じレンズを使えるので、結果として製作コストを抑制することができる。
【図面の簡単な説明】
【００１８】
【図１】本発明の実施形態に係る老眼鏡の正面図とそれに用いられる老眼用レンズを部分的に拡大した図を示す。
【図２】老眼用レンズの微小レンズ領域の配列の一例を示す図である。
【図３】老眼用レンズの微小レンズ領域の配列の変形例を示す図である。
【発明を実施するための形態】
【００１９】
以下、本発明の実施形態に係る老眼鏡１について図面を参照しながら説明する。
【００２０】
老眼鏡1は、図１に示すように、二枚の老眼用レンズ２，２と、これらのレンズが両眼部に取り付けられ、使用者の顔に装着されるフレーム３で構成されている。老眼用レンズ２は、無色又は色付きの透明プラスチックからなり、図１中の部分拡大図に示すように、多数個の視力矯正用の微小レンズ領域４を相互に隣接配置させるように形成されている。フレーム３は、プラスチック又はチタン、チタン合金等の軽い金属で形成されている。なお、図１においてフレーム３のテンプル（つる）や鼻当てが図示省略されている。
【００２１】
ここで「多数個」は単に「複数」を意味するものでなく、少なくとも数十個から数百個以上の比較的膨大な個数を指している。この老眼用レンズ２では、各微小レンズ領域４の縦横寸法を十分の数ミリメートル程度の極めて小さなものにすることで、微小レンズ領域４がレンズ中央部２Ａからレンズ周縁部２Ｂに亘って多数存在するように設定している。すなわち、従来の遠近両用等の眼鏡のように各矯正レンズ領域の面積が広く、２〜３か所しか設定していないものとは完全に異なる。
【００２２】
微小レンズ領域４は、図１に示すように各々六角形に形成され、老眼用レンズ２全体において、すべての微小レンズ領域がハニカム構造のように隙間なく隣接配置されている。但し、個別の成形品を接着等したものではなく、プラスチック成形金型で一体成形されている。隙間のないハニカム状配列は、レンズから視力矯正に寄与しない非矯正領域をなくして視界をすっきりさせると共に、単位面積当たりの微小レンズ領域数が増える結果、後述するように大きな度数幅が得られる。微小レンズ領域４の度数は、レンズ中央部２Ａで最も高く、レンズ周縁部２Ｂに向かうにつれて低くなり、レンズ周縁部２Ｂで最も低くなるように設定される。
【００２３】
詳しく述べると、老眼用レンズ２は、図２に示すように、レンズ中央部２Ａに配置する微小レンズ領域４１と、六角形の環状を成して微小レンズ領域４１を何重にも取り囲むように概ね同心円状に配置される微小レンズ領域群４２，４３，４４・・で構成されており、微小レンズ領域４１，微小レンズ領域群４２，４３，４４・・の順で、外側に向かって徐々に度数が低くなるように設定されている。なお、図２では、各微小レンズ領域群を区別し易くするために、それらの境界線を太く描いている。
【００２４】
より具体的には、老眼用レンズ２は、レンズ中央部２Ａからレンズ周縁部２Ｂまで少しずつ（０．０１刻みで）度数が異なる多数個の微小レンズ領域が設けられて、微小レンズ領域４１（度数＋２．５）、微小レンズ領域群４２（度数＋２．４９）、４３（度数＋２．４８）、４４（度数＋２．４７）・・という具合に度数が変化し、レンズ周縁部２Ｂでは度数が＋１．０になる。度数幅が大きい（＋１．０〜＋２．５）ので、眼から２０センチメートル（例えばスマホ画面）、３０センチメートル（例えば書籍）、５０センチメートル（例えばパソコン画面）又は１メートル以上（例えばテレビ画面）離れたもの、更にはこれらの中間的距離にあるもの等、様々な距離にあるものを同じ一枚のレンズですべて明瞭に見ることができる。
【００２５】
上記の老眼用レンズ２によれば、着用した使用者が見たい距離に適合する度数の微小レンズ領域を自らの脳の働きで無意識に選択し、その選択した微小レンズ領域を通して見ることで自動的にピント合わせされて、すべてのものを明瞭に視認できるようになる。したがって、視力検査や度数調整等をしなくても直ちに使用することができ、老眼進行で視力が経年変化しても使用者の脳が見たい距離に応じた微小レンズ領域を適宜選択するため、作り直す必要はない。
【００２６】
レンズ中央部２Ａの高度数領域からレンズ周縁部２Ｂの低度数領域に至るまで、度数が一定の割合で徐々に変化するため、隣接する微小レンズ領域間では、従来の遠近両用眼鏡等のような急激は度数変化がない。したがって、ピント合わせのために各微小レンズ領域間で視線を頻繁に移動させても大きな違和感はなく、目眩等を起こす心配はない。一方、微小レンズ領域が度数の高低順に並んでいるため、使用者が見るものに対して顔を近づけたり、離したりしたときに脳が最適な微小レンズ領域を短時間で見つけられる。
【００２７】
上述した老眼用レンズ２が両眼部に取り付けられている老眼鏡１によれば、使用者の左右視力が多少異なる場合でも、左右対称の実質的に同じレンズを使えるので、製作コストが抑えられる。また、金融機関等で老眼の人への貸出用に度数の異なる老眼鏡が何種類も置かれているが、この老眼鏡であれば一種類で足りる。
【００２８】
（上記実施形態の変形例）
上記実施形態では、レンズ中央部２Ａに配置される最も度数が高い領域を、単一の微小レンズ領域４１としたが、これに代えて、図３に示すように複数の微小レンズ領域からなる一塊の微小レンズ領域群４１´としてもよい。また、上記実施形態では、環状の微小レンズ領域群４２，４３，４４・・はそれぞれ同度数の微小レンズ領域を一列にしたが、これに代えて、図３に示す微小レンズ領域群４２´，４３´，４４´・・のように二列（複数列）にしてもよい。度数の変化割合は０．０１ずつでなく、図３に示すように０．０２ずつとしてもよく、急激な度数変化にならなければ一定割合でなくてもよい。
【００２９】
上記実施形態では、微小レンズ領域を六角形に形成したが、これに限らず、三角形、四角形等、六角形以外の多角形にしてもよく、あるいは円形、楕円形等にしても良い。また、上記実施形態では、微小レンズ領域間に視力矯正に寄与しない非矯正領域を生じないようにハニカム状に配置したが、これに限らず、碁盤目のように縦横に配列してもよく、あるいは非矯正領域があまり大きくならない程度に近接配置するようにしてもよい。
【００３０】
上記実施形態及び上記変形例では、微小レンズ領域４１や微小レンズ領域群４１´をレンズ中央部２Ａに配置することとしたが、老眼用レンズ２の構造によれば、物理的に完全な中央に設ける必要はなく、レンズ中央部付近に配置されていればよい。また、老眼用レンズ２はプラスチックで形成したが、ガラスで形成することにしてもよい。その他、本発明は、上記実施形態に限定されることなく、要旨を変更しない範囲で種々変更することができる。
【符号の説明】
【００３１】
１  老眼鏡
２  老眼用レンズ
３  フレーム
４  微小レンズ領域
【図１】
2019078859.tif 000003
【図２】
2019078859.tif 000004
【図３】
2019078859.tif 000005
【手続補正書】
【提出日】平成30年4月16日(2018.4.16)
【手続補正１】
【補正対象書類名】特許請求の範囲
【補正対象項目名】請求項２
【補正方法】変更
【補正の内容】
【請求項２】
多数個の微小レンズ領域を隣接又は近接配置するように形成した老眼用レンズにおいて、
レンズ中央部付近に配置した一塊の微小レンズ領域群からレンズ周縁部へ向かうにつれて各微小レンズ領域の度数が徐々に低くなるように設定したことを特徴とする老眼用レンズ。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
各々の縦横寸法が極めて小さく、膨大な個数の微小レンズ領域を隣接又は近接配置するように形成した老眼用レンズにおいて、
レンズ中央部付近に配置した特定の微小レンズ領域からレンズ周縁部へ向かうにつれて各微小レンズ領域の度数が急激に変化する部分を生じることなく徐々に低くなるように設定したことを特徴とする老眼用レンズ。
【請求項２】
各々の縦横寸法が極めて小さく、膨大な個数の微小レンズ領域を隣接又は近接配置するように形成した老眼用レンズにおいて、
レンズ中央部付近に配置した一塊の同度数の微小レンズ領域群からレンズ周縁部へ向かうにつれて各微小レンズ領域の度数が急激に変化する部分を生じることなく徐々に低くなるように設定したことを特徴とする老眼用レンズ。
【請求項３】
各々の縦横寸法が極めて小さく、膨大な個数の微小レンズ領域を隣接又は近接配置するように形成した老眼用レンズにおいて、
前記膨大な個数の微小レンズ領域は、レンズ中央部付近に配置した特定の微小レンズ領域とそれを取り囲むように概ね同心状に配置した微小レンズ領域群とから構成されており、前記特定の微小レンズ領域の度数が最も高く、その周囲にある概ね同心状の微小レンズ領域群の度数が外側へ向かうにつれて急激に変化する部分を生じることなく徐々に低くなるように設定したことを特徴とする老眼用レンズ。
【請求項４】
各々の縦横寸法が極めて小さく、膨大な個数の微小レンズ領域を隣接又は近接配置するように形成した老眼用レンズにおいて、
前記膨大な個数の微小レンズ領域は、レンズ中央部付近に配置した一塊の同度数の微小レンズ領域群とそれを取り囲むように概ね同心状に配置した微小レンズ領域群とから構成されており、前記一塊の微小レンズ領域群の度数が最も高く、その周囲にある概ね同心状の微小レンズ領域群の度数が外側へ向かうにつれて急激に変化する部分を生じることなく徐々に低くなるように設定したことを特徴とする老眼用レンズ。
【請求項５】
前記微小レンズ領域は、それぞれ六角形に形成されていることを特徴とする請求項１乃至４の何れかに記載の老眼用レンズ。
【請求項６】
請求項１乃至５の何れかに記載の老眼用レンズを両眼部に備えることを特徴とする老眼鏡。
【手続補正２】
【補正対象書類名】明細書
【補正対象項目名】全文
【補正方法】変更
【補正の内容】
【発明の詳細な説明】
【技術分野】
【０００１】
本発明は、老眼用レンズ及びそれを用いた老眼鏡に関する。
【背景技術】
【０００２】
老眼は加齢に伴い水晶体が硬化して近くのものにピントを合わせ辛くなる症状であり、老眼鏡を装着することで矯正する。老眼鏡は安価な既製品もあるが、用意されている度数が限られており、左右の度数違いに対応していないため、使用者の視力に合わせたオーダーメイドが良いとされている。なお、一つの老眼鏡で異なる距離（例えば読書とパソコン画面等）を見られるように、焦点距離が異なるレンズ領域を有する遠近、中近又は近々両用の老眼鏡も提供されている（例えば特許文献1参照。）。
【先行技術文献】
【特許文献】
【０００３】
【特許文献１】特開２００２−２０２４８１号公報
【発明の概要】
【発明が解決しようとする課題】
【０００４】
ところで、使用者の視力に合わせた老眼鏡は、眼科での視力検査や眼鏡店での調整が必要で費用も高くなる。しかも老眼は症状が出始めて暫らくの間は年々進行するために何度も作り直す必要があり、視力検査の煩わしさや高い出費を繰り返すことが多い。しかし、手間や費用がかかる割に、予め設定した距離以外には適合しないため、使用者が無意識に眼でピントを合わせようとして却って眼精疲労や肩こりを生じる原因になっていた。
【０００５】
遠近、中近又は近々両用眼鏡は、見たい距離が複数ある場合に対応するものであるが、焦点距離が異なるレンズ領域の境界部分で度数が急激に変わるため、視線を動かすときに目眩を起こす等の問題がある。また、未設定の距離（例えば中間距離）ではよく見えず、朝の起床直後と疲れが出る晩の視力違いにも対応していない。そのため、折角、注文製作しても老眼鏡を頻繁に外したり、度数の違う別の老眼鏡に掛け直したりすることがある。
【０００６】
上記のような事情に鑑みて、本発明は、度数を実質的に自動調整可能にして、眼科での視力検査や眼鏡店での調整及びそれに伴い発生する高額な費用負担を不要としながら、左右視力の違い、視力の経年変化、朝晩の視力変化に対応できる老眼用レンズ及びそれを用いた老眼鏡を提供する。
【課題を解決するための手段】
【０００７】
請求項１の発明は、各々の縦横寸法が極めて小さく、膨大な個数の微小レンズ領域を隣接又は近接配置するように形成した老眼用レンズにおいて、レンズ中央部付近に配置した特定の微小レンズ領域からレンズ周縁部へ向かうにつれて各微小レンズ領域の度数が急激に変化する部分を生じることなく徐々に低くなるように設定したことを特徴とする老眼用レンズを提供する。
【０００８】
請求項２の発明は、各々の縦横寸法が極めて小さく、膨大な個数の微小レンズ領域を隣接又は近接配置するように形成した老眼用レンズにおいて、レンズ中央部付近に配置した一塊の同度数の微小レンズ領域群からレンズ周縁部へ向かうにつれて各微小レンズ領域の度数が急激に変化する部分を生じることなく徐々に低くなるように設定したことを特徴とする老眼用レンズを提供する。
【０００９】
請求項３の発明は、各々の縦横寸法が極めて小さく、膨大な個数の微小レンズ領域を隣接又は近接配置するように形成した老眼用レンズにおいて、前記膨大な個数の微小レンズ領域は、レンズ中央部付近に配置した特定の微小レンズ領域とそれを取り囲むように概ね同心状に配置した微小レンズ領域群とから構成されており、前記特定の微小レンズ領域の度数が最も高く、その周囲にある概ね同心状の微小レンズ領域群の度数が外側へ向かうにつれて急激に変化する部分を生じることなく徐々に低くなるように設定したことを特徴とする老眼用レンズを提供する。
【００１０】
請求項４の発明は、各々の縦横寸法が極めて小さく、膨大な個数の微小レンズ領域を隣接又は近接配置するように形成した老眼用レンズにおいて、前記膨大な個数の微小レンズ領域は、レンズ中央部付近に配置した一塊の同度数の微小レンズ領域群とそれを取り囲むように概ね同心状に配置した微小レンズ領域群とから構成されており、前記一塊の微小レンズ領域群の度数が最も高く、その周囲にある概ね同心状の微小レンズ領域群の度数が外側へ向かうにつれて急激に変化する部分を生じることなく徐々に低くなるように設定したことを特徴とする老眼用レンズを提供する。
【００１１】
請求項５の発明は、前記微小レンズ領域は、それぞれ六角形に形成されていることを特徴とする請求項１乃至４の何れかに記載の老眼用レンズを提供する。
【００１２】
請求項６の発明は、請求項１乃至５の何れかに記載の老眼用レンズを両眼部に備えることを特徴とする老眼鏡を提供する。
【発明の効果】
【００１３】
本発明に係る老眼用レンズによれば、以下の優れた効果を奏し得る。度数が少しずつ異なる膨大な個数の微小レンズ領域の中から、使用者が見たい距離に適合する度数の微小レンズ領域を自らの脳の働きで無意識に選択して、その微小レンズ領域を通して見たい距離を明瞭に視認できるようになる。すなわち実質的に度数が自動調整されるので、視力検査や度数調整等が不要になって費用負担も少なく済む。老眼進行で視力が経年変化しても、使用者の脳が見たい距離に適した微小レンズ領域を適宜選択して対応するため、老眼鏡を作り直す必要がない。
【００１４】
使用者の見たい特定距離に合わせた度数のみに予め固定される従来の老眼鏡と異なり、一枚のレンズに多くの度数が備えられているので、その都度、見たい距離に合わせて度数調整が行うことができる。したがって、例えば読書、スマホ画面操作、パソコン画面操作、テレビ観賞、その他の様々な使用状況や、朝晩の視力変化等についても同じレンズで対応可能となる。したがって、使用者が老眼鏡を頻繁に外したり、度数の違う別の老眼鏡に掛け変えたりしなくても済む。
【００１５】
更にレンズ中央部からレンズ周縁部（外側）に向かって徐々に度数変化するように設定されているため、レンズ内において急激に度数変化を生じる部分がない。したがって、見たい距離に応じた微小レンズ領域を選択するために視線を動かしても、従来の遠近両用等の眼鏡のように目眩を起こすような不都合は生じない。特に度数の異なる微小レンズ領域の並びは不規則ではなく、度数の高低順に規則的であるため、脳が最適な微小レンズ領域を見つける（ピントを合わせる）までの時間が短く済む。
【００１６】
各微小レンズ領域を六角形に形成することにより、各微小レンズ領域間の隙間を詰めることができるので、視力矯正に寄与しない空白部分（非矯正領域）をなくすことができて、視界が澄み渡ると共に、単位面積当たりの微小レンズ領域数が増えることにより度数調整の範囲を拡大することができる。
【００１７】
上記老眼用レンズを両眼部に備える老眼鏡によれば、上記効果が得られることは勿論、左右視力が多少異なる場合も同じレンズを使えるので、結果として製作コストを抑制することができる。
【図面の簡単な説明】
【００１８】
【図１】本発明の実施形態に係る老眼鏡の正面図とそれに用いられる老眼用レンズを部分的に拡大した図を示す。
【図２】老眼用レンズの微小レンズ領域の配列の一例を示す図である。
【図３】老眼用レンズの微小レンズ領域の配列の変形例を示す図である。
【発明を実施するための形態】
【００１９】
以下、本発明の実施形態に係る老眼鏡１について図面を参照しながら説明する。
【００２０】
老眼鏡1は、図１に示すように、二枚の老眼用レンズ２，２と、これらのレンズが両眼部に取り付けられ、使用者の顔に装着されるフレーム３で構成されている。老眼用レンズ２は、無色又は色付きの透明プラスチックからなり、図１中の部分拡大図に示すように、多数個の視力矯正用の微小レンズ領域４を相互に隣接配置させるように形成されている。フレーム３は、プラスチック又はチタン、チタン合金等の軽い金属で形成されている。なお、図１においてフレーム３のテンプル（つる）や鼻当てが図示省略されている。
【００２１】
ここで「多数個」は単に「複数」を意味するものでなく、少なくとも数十個から数百個以上の比較的膨大な個数を指している。この老眼用レンズ２では、各微小レンズ領域４の縦横寸法を十分の数ミリメートル程度の極めて小さなものにすることで、微小レンズ領域４がレンズ中央部２Ａからレンズ周縁部２Ｂに亘って多数存在するように設定している。すなわち、従来の遠近両用等の眼鏡のように各矯正レンズ領域の面積が広く、２〜３か所しか設定していないものとは完全に異なる。
【００２２】
微小レンズ領域４は、図１に示すように各々六角形に形成され、老眼用レンズ２全体において、すべての微小レンズ領域がハニカム構造のように隙間なく隣接配置されている。但し、個別の成形品を接着等したものではなく、プラスチック成形金型で一体成形されている。隙間のないハニカム状配列は、レンズから視力矯正に寄与しない非矯正領域をなくして視界をすっきりさせると共に、単位面積当たりの微小レンズ領域数が増える結果、後述するように大きな度数幅が得られる。微小レンズ領域４の度数は、レンズ中央部２Ａで最も高く、レンズ周縁部２Ｂに向かうにつれて低くなり、レンズ周縁部２Ｂで最も低くなるように設定される。
【００２３】
詳しく述べると、老眼用レンズ２は、図２に示すように、レンズ中央部２Ａに配置する微小レンズ領域４１と、六角形の環状を成して微小レンズ領域４１を何重にも取り囲むように概ね同心円状に配置される微小レンズ領域群４２，４３，４４・・で構成されており、微小レンズ領域４１，微小レンズ領域群４２，４３，４４・・の順で、外側に向かって徐々に度数が低くなるように設定されている。なお、図２では、各微小レンズ領域群を区別し易くするために、それらの境界線を太く描いている。
【００２４】
より具体的には、老眼用レンズ２は、レンズ中央部２Ａからレンズ周縁部２Ｂまで少しずつ（０．０１刻みで）度数が異なる多数個の微小レンズ領域が設けられて、微小レンズ領域４１（度数＋２．５）、微小レンズ領域群４２（度数＋２．４９）、４３（度数＋２．４８）、４４（度数＋２．４７）・・という具合に度数が変化し、レンズ周縁部２Ｂでは度数が＋１．０になる。度数幅が大きい（＋１．０〜＋２．５）ので、眼から２０センチメートル（例えばスマホ画面）、３０センチメートル（例えば書籍）、５０センチメートル（例えばパソコン画面）又は１メートル以上（例えばテレビ画面）離れたもの、更にはこれらの中間的距離にあるもの等、様々な距離にあるものを同じ一枚のレンズですべて明瞭に見ることができる。
【００２５】
上記の老眼用レンズ２によれば、着用した使用者が見たい距離に適合する度数の微小レンズ領域を自らの脳の働きで無意識に選択し、その選択した微小レンズ領域を通して見ることで自動的にピント合わせされて、すべてのものを明瞭に視認できるようになる。したがって、視力検査や度数調整等をしなくても直ちに使用することができ、老眼進行で視力が経年変化しても使用者の脳が見たい距離に応じた微小レンズ領域を適宜選択するため、作り直す必要はない。
【００２６】
レンズ中央部２Ａの高度数領域からレンズ周縁部２Ｂの低度数領域に至るまで、度数が一定の割合で徐々に変化するため、隣接する微小レンズ領域間では、従来の遠近両用眼鏡等のような急激は度数変化がない。したがって、ピント合わせのために各微小レンズ領域間で視線を頻繁に移動させても大きな違和感はなく、目眩等を起こす心配はない。一方、微小レンズ領域が度数の高低順に並んでいるため、使用者が見るものに対して顔を近づけたり、離したりしたときに脳が最適な微小レンズ領域を短時間で見つけられる。
【００２７】
上述した老眼用レンズ２が両眼部に取り付けられている老眼鏡１によれば、使用者の左右視力が多少異なる場合でも、左右対称の実質的に同じレンズを使えるので、製作コストが抑えられる。また、金融機関等で老眼の人への貸出用に度数の異なる老眼鏡が何種類も置かれているが、この老眼鏡であれば一種類で足りる。
【００２８】
（上記実施形態の変形例）
上記実施形態では、レンズ中央部２Ａに配置される最も度数が高い領域を、単一の微小レンズ領域４１としたが、これに代えて、図３に示すように複数の微小レンズ領域からなる一塊の微小レンズ領域群４１´としてもよい。また、上記実施形態では、環状の微小レンズ領域群４２，４３，４４・・はそれぞれ同度数の微小レンズ領域を一列にしたが、これに代えて、図３に示す微小レンズ領域群４２´，４３´，４４´・・のように二列（複数列）にしてもよい。度数の変化割合は０．０１ずつでなく、図３に示すように０．０２ずつとしてもよく、急激な度数変化にならなければ一定割合でなくてもよい。
【００２９】
上記実施形態では、微小レンズ領域を六角形に形成したが、これに限らず、三角形、四角形等、六角形以外の多角形にしてもよく、あるいは円形、楕円形等にしても良い。また、上記実施形態では、微小レンズ領域間に視力矯正に寄与しない非矯正領域を生じないようにハニカム状に配置したが、これに限らず、碁盤目のように縦横に配列してもよく、あるいは非矯正領域があまり大きくならない程度に近接配置するようにしてもよい。
【００３０】
上記実施形態及び上記変形例では、微小レンズ領域４１や微小レンズ領域群４１´をレンズ中央部２Ａに配置することとしたが、老眼用レンズ２の構造によれば、物理的に完全な中央に設ける必要はなく、レンズ中央部付近に配置されていればよい。また、老眼用レンズ２はプラスチックで形成したが、ガラスで形成することにしてもよい。その他、本発明は、上記実施形態に限定されることなく、要旨を変更しない範囲で種々変更することができる。
【符号の説明】
【００３１】
１  老眼鏡
２  老眼用レンズ
３  フレーム
４  微小レンズ領域
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
多数個の微小レンズ領域を隣接又は近接配置するように形成した老眼鏡用レンズにおいて、
レンズ中央部付近に配置した特定の微小レンズ領域からレンズ周縁部へ向かうにつれて各微小レンズ領域の度数が徐々に低くなるように設定したことを特徴とする老眼鏡用レンズ。
【請求項２】
多数個の微小レンズ領域を隣接又は配置するように形成した老眼鏡用レンズにおいて、
レンズ中央部付近に配置した一塊の同度数の微小レンズ領域群からレンズ周縁部へ向かうにつれて各微小レンズ領域の度数が徐々に低くなるように設定したことを特徴とする老眼鏡用レンズ。
【請求項３】
多数個の微小レンズ領域を隣接又は近接配置するように形成した老眼鏡用レンズにおいて、
前記多数個の微小レンズ領域は、レンズ中央部付近に配置した特定の微小レンズ領域とそれを取り囲むように概ね同心状に配置した微小レンズ領域群とから構成されており、
前記特定の微小レンズ領域の度数が最も高く、その周囲にある概ね同心状の微小レンズ領域群の度数が外側へ向かって徐々に低くなるように設定したことを特徴とする老眼鏡用レンズ。
【請求項４】
多数個の微小レンズ領域を隣接又は近接配置するように形成した老眼鏡用レンズにおいて、
前記多数個の微小レンズ領域は、レンズ中央部付近に配置した一塊の同度数の微小レンズ領域群とそれを取り囲むように概ね同心状に配置した微小レンズ領域群とから構成されており、
前記一塊の微小レンズ領域群の度数が最も高く、その周囲にある概ね同心状の微小レンズ領域群の度数が外側へ向かって徐々に低くなるように設定したことを特徴とする老眼鏡用レンズ。
【請求項５】
前記微小レンズ領域は、それぞれ六角形に形成されていることを特徴とする請求項１乃至４の何れかに記載の老眼鏡用レンズ。
【請求項６】
請求項１乃至５の何れかに記載の老眼鏡用レンズを両眼部に備えることを特徴とする老眼鏡。
【手続補正２】
【補正対象書類名】明細書
【補正対象項目名】全文
【補正方法】変更
【補正の内容】
【発明の詳細な説明】
【技術分野】
【０００１】
本発明は、老眼鏡用レンズ及びそれを用いた老眼鏡に関する。
【背景技術】
【０００２】
老眼は加齢に伴い水晶体が硬化して近くのものにピントを合わせ辛くなる症状であり、老眼鏡を装着することで矯正する。老眼鏡は安価な既製品もあるが、用意されている度数が限られており、左右の度数違いに対応していないため、使用者の視力に合わせたオーダーメイドが良いとされている。なお、一つの老眼鏡で異なる距離（例えば読書とパソコン画面等）を見られるように、焦点距離が異なるレンズ領域を有する遠近、中近又は近々両用の老眼鏡も提供されている（例えば特許文献1参照。）。
【先行技術文献】
【特許文献】
【０００３】
【特許文献１】特開２００２−２０２４８１号公報
【発明の概要】
【発明が解決しようとする課題】
【０００４】
ところで、使用者の視力に合わせた老眼鏡は、眼科での視力検査や眼鏡店での調整が必要で費用も高くなる。しかも老眼は症状が出始めて暫らくの間は年々進行するために何度も作り直す必要があり、視力検査の煩わしさや高い出費を繰り返すことが多い。しかし、手間や費用がかかる割に、予め設定した距離以外には適合しないため、使用者が無意識に眼でピントを合わせようとして却って眼精疲労や肩こりを生じる原因になっていた。
【０００５】
遠近、中近又は近々両用眼鏡は、見たい距離が複数ある場合に対応するものであるが、焦点距離が異なるレンズ領域の境界部分で度数が急激に変わるため、視線を動かすときに目眩を起こす等の問題がある。また、未設定の距離（例えば中間距離）ではよく見えず、朝の起床直後と疲れが出る晩の視力違いにも対応していない。そのため、折角、注文製作しても老眼鏡を頻繁に外したり、度数の違う別の老眼鏡に掛け直したりすることがある。
【０００６】
上記のような事情に鑑みて、本発明は、度数を実質的に自動調整可能にして、眼科での視力検査や眼鏡店での調整及びそれに伴い発生する高額な費用負担を不要としながら、左右視力の違い、視力の経年変化、朝晩の視力変化に対応できる老眼鏡用レンズ及びそれを用いた老眼鏡を提供する。
【課題を解決するための手段】
【０００７】
請求項１の発明は、多数個の微小レンズ領域を隣接又は近接配置するように形成した老眼鏡用レンズにおいて、レンズ中央部付近に配置した特定の微小レンズ領域からレンズ周縁部へ向かうにつれて各微小レンズ領域の度数が徐々に低くなるように設定したことを特徴とする老眼鏡用レンズを提供する。
【０００８】
請求項２の発明は、多数個の微小レンズ領域を隣接又は配置するように形成した老眼鏡用レンズにおいて、レンズ中央部付近に配置した一塊の同度数の微小レンズ領域群からレンズ周縁部へ向かうにつれて各微小レンズ領域の度数が徐々に低くなるように設定したことを特徴とする老眼鏡用レンズを提供する。
【０００９】
請求項３の発明は、多数個の微小レンズ領域を隣接又は近接配置するように形成した老眼鏡用レンズにおいて、前記多数個の微小レンズ領域は、レンズ中央部付近に配置した特定の微小レンズ領域とそれを取り囲むように概ね同心状に配置した微小レンズ領域群とから構成されており、前記特定の微小レンズ領域の度数が最も高く、その周囲にある概ね同心状の微小レンズ領域群の度数が外側へ向かって徐々に低くなるように設定したことを特徴とする老眼鏡用レンズを提供する。
【００１０】
請求項４の発明は、多数個の微小レンズ領域を隣接又は近接配置するように形成した老眼鏡用レンズにおいて、前記多数個の微小レンズ領域は、レンズ中央部付近に配置した一塊の同度数の微小レンズ領域群とそれを取り囲むように概ね同心状に配置した微小レンズ領域群とから構成されており、前記一塊の微小レンズ領域群の度数が最も高く、その周囲にある概ね同心状の微小レンズ領域群の度数が外側へ向かって徐々に低くなるように設定したことを特徴とする老眼鏡用レンズを提供する。
【００１１】
請求項５の発明は、前記微小レンズ領域は、それぞれ六角形に形成されていることを特徴とする請求項１乃至４の何れかに記載の老眼鏡用レンズを提供する。
【００１２】
請求項６の発明は、請求項１乃至５の何れかに記載の老眼鏡用レンズを両眼部に備えることを特徴とする老眼鏡を提供する。
【発明の効果】
【００１３】
本発明に係る老眼鏡用レンズによれば、以下の優れた効果を奏し得る。度数が少しずつ異なる膨大な個数の微小レンズ領域の中から、使用者が見たい距離に適合する度数の微小レンズ領域を自らの脳の働きで無意識に選択して、その微小レンズ領域を通して見たい距離を明瞭に視認できるようになる。すなわち実質的に度数が自動調整されるので、視力検査や度数調整等が不要になって費用負担も少なく済む。老眼進行で視力が経年変化しても、使用者の脳が見たい距離に適した微小レンズ領域を適宜選択して対応するため、老眼鏡を作り直す必要がない。
【００１４】
使用者の見たい特定距離に合わせた度数のみに予め固定される従来の老眼鏡と異なり、一枚のレンズに多くの度数が備えられているので、その都度、見たい距離に合わせて度数調整が行うことができる。したがって、例えば読書、スマホ画面操作、パソコン画面操作、テレビ観賞、その他の様々な使用状況や、朝晩の視力変化等についても同じレンズで対応可能となる。したがって、使用者が老眼鏡を頻繁に外したり、度数の違う別の老眼鏡に掛け変えたりしなくても済む。
【００１５】
更にレンズ中央部からレンズ周縁部（外側）に向かって徐々に度数変化するように設定されているため、レンズ内において急激に度数変化を生じる部分がない。したがって、見たい距離に応じた微小レンズ領域を選択するために視線を動かしても、従来の遠近両用等の眼鏡のように目眩を起こすような不都合は生じない。特に度数の異なる微小レンズ領域の並びは不規則ではなく、度数の高低順に規則的であるため、脳が最適な微小レンズ領域を見つける（ピントを合わせる）までの時間が短く済む。
【００１６】
各微小レンズ領域を六角形に形成することにより、各微小レンズ領域間の隙間を詰めることができるので、視力矯正に寄与しない空白部分（非矯正領域）をなくすことができて、視界が澄み渡ると共に、単位面積当たりの微小レンズ領域数が増えることにより度数調整の範囲を拡大することができる。
【００１７】
上記老眼鏡用レンズを両眼部に備える老眼鏡によれば、上記効果が得られることは勿論、左右視力が多少異なる場合も同じレンズを使えるので、結果として製作コストを抑制することができる。
【図面の簡単な説明】
【００１８】
【図１】本発明の実施形態に係る老眼鏡の正面図とそれに用いられる老眼鏡用レンズを部分的に拡大した図を示す。
【図２】老眼鏡用レンズの微小レンズ領域の配列の一例を示す図である。
【図３】老眼鏡用レンズの微小レンズ領域の配列の変形例を示す図である。
【発明を実施するための形態】
【００１９】
以下、本発明の実施形態に係る老眼鏡１について図面を参照しながら説明する。
【００２０】
老眼鏡1は、図１に示すように、二枚の老眼鏡用レンズ２，２と、これらのレンズが両眼部に取り付けられ、使用者の顔に装着されるフレーム３で構成されている。老眼鏡用レンズ２は、無色又は色付きの透明プラスチックからなり、図１中の部分拡大図に示すように、多数個の視力矯正用の微小レンズ領域４を相互に隣接配置させるように形成されている。フレーム３は、プラスチック又はチタン、チタン合金等の軽い金属で形成されている。なお、図１においてフレーム３のテンプル（つる）や鼻当てが図示省略されている。
【００２１】
ここで「多数個」は単に「複数」を意味するものでなく、少なくとも数十個から数百個以上の比較的膨大な個数を指している。この老眼鏡用レンズ２では、各微小レンズ領域４の縦横寸法を十分の数ミリメートル程度の極めて小さなものにすることで、微小レンズ領域４がレンズ中央部２Ａからレンズ周縁部２Ｂに亘って多数存在するように設定している。すなわち、従来の遠近両用等の眼鏡のように各矯正レンズ領域の面積が広く、２〜３か所しか設定していないものとは完全に異なる。
【００２２】
微小レンズ領域４は、図１に示すように各々六角形に形成され、老眼鏡用レンズ２全体において、すべての微小レンズ領域がハニカム構造のように隙間なく隣接配置されている。但し、個別の成形品を接着等したものではなく、プラスチック成形金型で一体成形されている。隙間のないハニカム状配列は、レンズから視力矯正に寄与しない非矯正領域をなくして視界をすっきりさせると共に、単位面積当たりの微小レンズ領域数が増える結果、後述するように大きな度数幅が得られる。微小レンズ領域４の度数は、レンズ中央部２Ａで最も高く、レンズ周縁部２Ｂに向かうにつれて低くなり、レンズ周縁部２Ｂで最も低くなるように設定される。
【００２３】
詳しく述べると、老眼鏡用レンズ２は、図２に示すように、レンズ中央部２Ａに配置する微小レンズ領域４１と、六角形の環状を成して微小レンズ領域４１を何重にも取り囲むように概ね同心円状に配置される微小レンズ領域群４２，４３，４４・・で構成されており、微小レンズ領域４１，微小レンズ領域群４２，４３，４４・・の順で、外側に向かって徐々に度数が低くなるように設定されている。なお、図２では、各微小レンズ領域群を区別し易くするために、それらの境界線を太く描いている。
【００２４】
より具体的には、老眼鏡用レンズ２は、レンズ中央部２Ａからレンズ周縁部２Ｂまで少しずつ（０．０１刻みで）度数が異なる多数個の微小レンズ領域が設けられて、微小レンズ領域４１（度数＋２．５）、微小レンズ領域群４２（度数＋２．４９）、４３（度数＋２．４８）、４４（度数＋２．４７）・・という具合に度数が変化し、レンズ周縁部２Ｂでは度数が＋１．０になる。度数幅が大きい（＋１．０〜＋２．５）ので、眼から２０センチメートル（例えばスマホ画面）、３０センチメートル（例えば書籍）、５０センチメートル（例えばパソコン画面）又は１メートル以上（例えばテレビ画面）離れたもの、更にはこれらの中間的距離にあるもの等、様々な距離にあるものを同じ一枚のレンズですべて明瞭に見ることができる。
【００２５】
上記の老眼鏡用レンズ２によれば、着用した使用者が見たい距離に適合する度数の微小レンズ領域を自らの脳の働きで無意識に選択し、その選択した微小レンズ領域を通して見ることで自動的にピント合わせされて、すべてのものを明瞭に視認できるようになる。したがって、視力検査や度数調整等をしなくても直ちに使用することができ、老眼進行で視力が経年変化しても使用者の脳が見たい距離に応じた微小レンズ領域を適宜選択するため、作り直す必要はない。
【００２６】
レンズ中央部２Ａの高度数領域からレンズ周縁部２Ｂの低度数領域に至るまで、度数が一定の割合で徐々に変化するため、隣接する微小レンズ領域間では、従来の遠近両用眼鏡等のような急激は度数変化がない。したがって、ピント合わせのために各微小レンズ領域間で視線を頻繁に移動させても大きな違和感はなく、目眩等を起こす心配はない。一方、微小レンズ領域が度数の高低順に並んでいるため、使用者が見るものに対して顔を近づけたり、離したりしたときに脳が最適な微小レンズ領域を短時間で見つけられる。
【００２７】
上述した老眼鏡用レンズ２が両眼部に取り付けられている老眼鏡１によれば、使用者の左右視力が多少異なる場合でも、左右対称の実質的に同じレンズを使えるので、製作コストが抑えられる。また、金融機関等で老眼の人への貸出用に度数の異なる老眼鏡が何種類も置かれているが、この老眼鏡であれば一種類で足りる。
【００２８】
（上記実施形態の変形例）
上記実施形態では、レンズ中央部２Ａに配置される最も度数が高い領域を、単一の微小レンズ領域４１としたが、これに代えて、図３に示すように複数の微小レンズ領域からなる一塊の微小レンズ領域群４１´としてもよい。また、上記実施形態では、環状の微小レンズ領域群４２，４３，４４・・はそれぞれ同度数の微小レンズ領域を一列にしたが、これに代えて、図３に示す微小レンズ領域群４２´，４３´，４４´・・のように二列（複数列）にしてもよい。度数の変化割合は０．０１ずつでなく、図３に示すように０．０２ずつとしてもよく、急激な度数変化にならなければ一定割合でなくてもよい。
【００２９】
上記実施形態では、微小レンズ領域を六角形に形成したが、これに限らず、三角形、四角形等、六角形以外の多角形にしてもよく、あるいは円形、楕円形等にしても良い。また、上記実施形態では、微小レンズ領域間に視力矯正に寄与しない非矯正領域を生じないようにハニカム状に配置したが、これに限らず、碁盤目のように縦横に配列してもよく、あるいは非矯正領域があまり大きくならない程度に近接配置するようにしてもよい。
【００３０】
上記実施形態及び上記変形例では、微小レンズ領域４１や微小レンズ領域群４１´をレンズ中央部２Ａに配置することとしたが、老眼鏡用レンズ２の構造によれば、物理的に完全な中央に設ける必要はなく、レンズ中央部付近に配置されていればよい。また、老眼鏡用レンズ２はプラスチックで形成したが、ガラスで形成することにしてもよい。その他、本発明は、上記実施形態に限定されることなく、要旨を変更しない範囲で種々変更することができる。
【符号の説明】
【００３１】
１  老眼鏡
２  老眼鏡用レンズ
３  フレーム
４  微小レンズ領域